(57)【要約】【課題】カメラに対して容易に取付けることができ、且つカメラで撮像される画像に何らかの効果を与えられる光学要素フィルタを提供する。【解決手段】光学要素フィルタセット１００は、台紙１１０と複数の光学要素フィルタ１２０とからなる。光学要素フィルタ１２０は、一枚のシート状にされており膜状乃至薄板状の効果フィルタ１２１を備えている。効果フィルタ１２１は、カメラで撮像される画像に何らかの効果を与えるものであり、例えば有色フィルタや偏光フィルタである。効果フィルタ１２１は円形の本体部１２１Ａと摘み部１２１Ｂとからなり、本体部１２１Ａの裏面の周縁部には接着剤が塗布されている。使用者は、台紙１１０から剥がした光学要素フィルタ１２０を、必要に応じてカメラのレンズの前に貼って画像を撮像すればよい。【選択図】  図２
2005010315.tif 000002
【特許請求の範囲】
【請求項１】
カメラのレンズを覆うことのできる大きさ、形状とされており、且つカメラで撮像される画像に何らかの効果を与えるものとされている膜状乃至薄板状の効果フィルタと、
当該効果フィルタがカメラのレンズを覆うような状態で、前記効果フィルタをカメラに着脱自在に貼付ける貼付け手段と、
を備えており、
全体として１枚のシート状に構成されている、
光学要素フィルタ。
【請求項２】
前記効果フィルタがカメラで撮像される画像に与える前記何らかの効果は、効果フィルタの場所によって異なるものとされており、
前記光学要素フィルタをカメラへ貼付ける際のカメラに対する向き、位置の少なくとも一方を変化させることで、前記効果フィルタがカメラで撮像される画像に与える前記何らかの効果を変化させられるようになっている、
請求項１記載の光学要素フィルタ。
【請求項３】
前記貼付け手段は、前記効果フィルタの一方の面に塗布された接着剤である、
請求項１又は２記載の光学要素フィルタ。
【請求項４】
前記接着剤は、前記効果フィルタの前記一方の面のうち、前記光学要素フィルタがカメラに貼付けられた際にカメラのレンズを覆わない部分に塗布されている、
請求項３記載の光学要素フィルタ。
【請求項５】
前記効果フィルタの前記一方の面の外縁の少なくとも一部には、前記接着剤の塗布されていない部分が存在する、
請求項３又は４記載の光学要素フィルタ。
【請求項６】
前記効果フィルタは略円形の本体部を備えており、
前記接着剤は、前記本体部の一方の面の外周に沿うようにして、前記効果フィルタの前記一方の面に塗布されている、
請求項３〜５のいずれかに記載の光学要素フィルタ。
【請求項７】
前記本体部は円形であり、且つ前記本体部の中心を含む前記接着剤が塗布されていない部分の直径は、その光学要素フィルタが貼付けられることが予定されたカメラのレンズの直径の１．２倍以上であり、
前記効果フィルタがカメラで撮像される画像に与える前記何らかの効果は、効果フィルタの場所によって異なるものとされており、
前記光学要素フィルタをカメラへ貼付ける際のカメラに対する向き、位置の少なくとも一方を変化させることで、前記効果フィルタがカメラで撮像される画像に与える前記何らかの効果を変化させられるようになっている、
請求項６記載の光学要素フィルタ。
【請求項８】
前記本体部の中心を含む前記接着剤が塗布されていない前記部分の直径は、その光学要素フィルタが貼付けられることが予定されたカメラのレンズの直径の２．０倍以上である、
請求項７記載の光学要素フィルタ。
【請求項９】
前記効果フィルタは、前記本体部の外周の一部から延びるようにして設けられた摘み部を備えている、
請求項６〜８記載の光学要素フィルタ。
【請求項１０】
前記本体部と前記摘み部は一体的に形成されている、
請求項９記載の光学要素フィルタ。
【請求項１１】
前記摘み部は、所定のキャラクタを模してなる、
請求項９又は１０記載の光学要素フィルタ。
【請求項１２】
前記効果フィルタは、透明なフィルタの表面に、カメラで撮像される画像に何らかの効果を与えるスポットが多数設けられてなる、
請求項１記載の光学要素フィルタ。
【請求項１３】
前記効果フィルタは、透明なフィルタの表面に、カメラで撮像される画像に何らかの効果を与えるスポットが多数設けられてなり、
且つ単位面積あたりの前記スポットの密度、又はスポットの大きさの少なくとも一方が、効果フィルタの場所によって異なっており、これにより、前記効果フィルタがカメラで撮像される画像に与える前記何らかの効果が、前記効果フィルタの場所によって異なるものとされている、
請求項２記載の光学要素フィルタ。
【請求項１４】
台紙と、請求項３〜１３のいずれかに記載の光学要素フィルタとを備えており、前記台紙に、前記光学要素フィルタに含まれる前記効果フィルタのうち前記接着剤が塗布された面が着脱自在に貼り付けられてなる、
光学要素フィルタセット。
【請求項１５】
前記光学要素フィルタは複数であり、且つこれら光学要素フィルタにそれぞれ含まれる前記効果フィルタのうちの少なくとも一つは、他の効果フィルタとは異なる効果をカメラで撮像される画像に与えるものとされており、
前記台紙に、複数の前記光学要素フィルタに含まれる前記効果フィルタのうち前記接着剤が塗布された面が着脱自在に貼り付けられてなる、
請求項１４記載の光学要素フィルタセット。
【発明の詳細な説明】
【０００１】
【発明の属する技術分野】
本発明は、カメラに貼り付けて用いることで、カメラで撮像される画像に何らかの効果を与えるための技術に関する。
【０００２】
【発明の背景】
近年の携帯電話の普及には目を見張るものがある。その要因の一つとなっているのが、カメラ付き携帯電話の流行である。
【０００３】
カメラ付き携帯電話は、文字通りカメラを備えた携帯電話である。携帯電話の内部に、一般的にはＣＣＤ（ｃｈａｒｇｅ  ｃｏｕｐｌｅｄ  ｄｅｖｉｃｅ）により形成される撮像手段を、また携帯電話のケースの所定の位置からその撮像手段に像光を導くレンズを配することで、静止画、動画を含む写真撮影を行えるようにしている。
【０００４】
カメラ付き携帯電話は、常に持ち歩いている携帯電話での手軽な写真の撮影を可能とするという機能、及びカメラ付き携帯電話で撮像した写真を、携帯電話が備えている電子メール機能によって実現される電子メールに添付して他者にそのまま送信できるという一般のカメラにはない機能により、ユーザの遊び心を刺激することに成功し、写真を撮る機会の多い、特に若年層に広く普及した。
【０００５】
このような現状を見れば、カメラ付き携帯電話の更なる普及を図るためには、ユーザの遊び心を更に刺激する何かが必要であると考えられる。
例えば、カメラ付き携帯電話で撮像できる画像は、以前は静止画だけだったが、現在では動画やコマ送りのようなものも撮れるようになってきている。また、カメラ付き携帯電話に内蔵したメモリに所定の画像を記憶させておき、これとカメラ付き携帯電話で撮像した写真を合成する機能が、最近のカメラ付き携帯電話には与えられている。
【０００６】
このような点を考慮して、本願出願人は、光学要素マウントを開発した。
かかる光学要素マウントは、カメラ付き携帯電話に内蔵のカメラで撮った写真に新しい効果を与えることのできる光学要素を備えているとともに、カメラを備えた携帯電話に取付けて用いることのできるものとなっている。
かかる光学要素マウントが備える光学要素は、カメラで撮像することによって得られる画像に対して何らかの効果を与えるものであり、拡大レンズ、近接撮影用レンズ、魚眼レンズ、偏光フィルタ、回折格子、セピア色などの色味を写真に与える有色フィルタなどである。したがって、かかる光学要素マウントをカメラ付き携帯電話に取付けることにより、カメラ付き携帯電話に内蔵のカメラで撮影される画像に何らかの効果を与えられるようになるから、ユーザの遊び心を刺激するに好適である。
【０００７】
かかる光学要素マウントは有用であるが、カメラ付き携帯電話にどのように取付けるかがなかなか難しい。
【０００８】
本願出願人は、光学要素マウントを、光学要素がカメラ付き携帯電話のカメラのレンズに合った状態で取付けられるようにするための構造を研究していた。
その結果、上述の光学要素には拡大レンズ、近接撮影用レンズ、魚眼レンズなどの一定以上の厚みを有するものと、偏光フィルタ、回折格子、有色フィルタなどの非常に薄く形成可能なものとが存在し、後者であればカメラ付き携帯電話ならずとも、カメラ一般に容易に取付けられることを想到するに至った。
以下に説明する発明はこのようにして想到された発明であり、カメラに対して容易に取付けることができ、且つカメラで撮像される画像に何らかの効果を与える光学要素フィルタに関する。
【０００９】
【発明の開示】
本発明による光学要素フィルタは、以下のようなものである。
本発明による光学要素フィルタは、カメラのレンズを覆うことのできる大きさ、形状とされており、且つカメラで撮像される画像に何らかの効果を与えるものとされている膜状乃至薄板状の効果フィルタと、当該効果フィルタがカメラのレンズを覆うような状態で、前記効果フィルタをカメラに着脱自在に貼付ける貼付け手段と、を備えており、全体として１枚のシート状に構成される。
このような光学要素フィルタであれば、カメラに対する取付けを、その貼付けのみで行うことができるので、カメラで撮像される画像に何らかの効果を与えることが容易になる。つまり、本発明の光学要素フィルタは、カメラ単体では撮ることのできない写真を手軽に撮れるようになるため、カメラ使用者の遊び心を刺激できるものであるのみならず、その使用を容易に行えるようなものとなる。
なお、本発明における効果フィルタは、偏光フィルタ、回折格子、セピア色などの色味を写真に与える有色フィルタなどであり、光学要素フィルタ全体を一枚のシート状に構成することを妨げないものである。拡大レンズ、魚眼レンズ等のレンズは、一定の厚みが必要なので効果フィルタとするには不向きである。もっとも、レンズであっても、フレネルレンズ等の薄く形成することができるレンズであれば、効果フィルタとして用いることができる。
【００１０】
本発明における貼付け手段は、効果フィルタがカメラのレンズを覆うような状態で、前記効果フィルタをカメラに着脱自在に貼付けられるものであればどのようなものでも構わない。着脱自在に貼付けられるようなものとすべき理由は、光学要素フィルタを必要時にのみ使用できるようにするためである。貼付け手段は、複数回の着脱を繰り返せるようなものとなっていると更によい。
貼付け手段は、例えば、効果フィルタとは別体の両面テープであって、効果フィルタの一方の面に貼り付けられたものとすることもできるし、また、効果フィルタの一方の面に塗布された接着剤とすることもできる。貼付け手段を後者のようにすれば、光学要素フィルタの構成が簡単になる。
【００１１】
本発明の貼付け手段を接着剤とする場合、その接着剤は、前記効果フィルタの前記一方の面に塗布される。この一方の面が、光学要素フィルタがカメラに貼り付けられる際に、カメラに当接する面となる。接着剤は、また、効果フィルタのその一方の面のうち、前記光学要素フィルタがカメラに貼付けられた際にカメラのレンズを覆わない部分に塗布されていてもよい。光学要素フィルタをカメラに貼り付けたときにカメラのレンズの前方に位置する部分の効果フィルタに接着剤が塗布されていると、その接着剤のせいで、カメラで撮像される画像にその効果フィルタが本来与えるべき効果が上手く生じなくなるおそれがある。接着剤を、効果フィルタのその一方の面のうち、前記光学要素フィルタがカメラに貼付けられた際にカメラのレンズを覆わない部分に塗布することとすれば、このようなことがなくなる。
例えば、効果フィルタの前記一方の面のうち、光学要素フィルタが貼付けられることが予定されたカメラのレンズの大きさ、形状に対応させた部分に接着剤を塗布しないこととするとともに、その部分を取囲む部分に接着剤を塗布するようにすることが可能である。
【００１２】
本発明の貼付け手段を接着剤とする場合、前記効果フィルタの前記一方の面の外縁の少なくとも一部には、前記接着剤の塗布されていない部分が存在してもよい。
このようにすれば、カメラに貼付けた光学要素フィルタをカメラから剥がすのが容易になるからである。
【００１３】
効果フィルタの大きさ、形状は、カメラのレンズを覆うことのできる大きさ、形状とされていればよく、それ以外には特に制限はない。例えば、カメラのレンズを覆うことのできる三角形、矩形にすることができる。カメラのレンズが円形である場合がほとんどなので、一般的には、効果フィルタの大きさ、形状は、カメラのレンズよりも若干大きな円形とするのがもっとも簡単であろう。
効果フィルタは、例えば、略円形の本体部を備えていてもよい。なお、この場合、略円形の本体部はレンズを覆うことのできる大きさ、形状とされる。このような効果フィルタにおける貼付け手段が上述した如き接着剤である場合、その接着剤は、前記本体部の一方の面の外周に沿うようにして、前記効果フィルタの前記一方の面に塗布されていてもよい。
効果フィルタは、また、その全体が均一なものであっても、部分により異なる性質のものであってもよい。即ち、前記効果フィルタがカメラで撮像される画像に与える前記何らかの効果は、効果フィルタの場所によって異なるものとされていてもよい。この場合、前記光学要素フィルタをカメラへ貼付ける際のカメラに対する向き、位置の少なくとも一方を変化させることで、前記効果フィルタがカメラで撮像される画像に与える前記何らかの効果を変化させられるようになる。このようにすることで、一枚の光学要素フィルタによって、カメラで撮像される画像に様々な効果を与えられるようになる。例えば、効果フィルタの中心部に近い部分ほどカメラで撮像される画像に与えられる前記何らかの効果が小さく、周辺部ほど強くすることができる。
効果フィルタは、透明な効果フィルタの表面に、カメラで撮像される画像に何らかの効果を与えるスポットが多数設けられてなるものとされていてもよい。スポットにはピントが合わないので、それ自体がカメラで撮像される画像にはっきりと写り込むことはないが、カメラで撮像される画像に何らかの効果を与えることはできる。透明な効果フィルタの表面にスポットを設けた効果フィルタは、スポットの径や密度を変化させることで、効果フィルタがカメラで撮像される画像に与える何らかの効果を変化させられるようになる。かかるスポットの径や密度の変化は、透明なフィルタの表面（少なくとも一方の面の意）に印刷することでスポットを形成するのであれば、その印刷の際の設定を変化させるだけで行えるから、効果フィルタのバリエーションを増すのが容易である。
効果フィルタが、透明な効果フィルタの表面に、カメラで撮像される画像に何らかの効果を与えるスポットが多数設けられてなる場合、単位面積あたりの前記スポットの密度、又はスポットの大きさの少なくとも一方が、効果フィルタの場所によって異なるようにすることができる。これにより、前記効果フィルタがカメラで撮像される画像に与える前記何らかの効果が、前記効果フィルタの場所によって異なるものとされるから、光学要素フィルタをカメラへ貼付ける際のカメラに対する向き、位置の少なくとも一方を変化させることで、前記効果フィルタがカメラで撮像される画像に与える前記何らかの効果を変化させられるようになる。つまり、一枚の光学要素フィルタによって、カメラで撮像される画像に様々な効果を与えられるようになる。
前記効果フィルタがカメラで撮像される画像に与える前記何らかの効果が、効果フィルタの場所によって異なるものとされている場合、前記本体部は円形であり、且つ本体部の中心を含む前記接着剤が塗布されていない部分の直径は、その光学要素フィルタが貼付けられることが予定されたカメラのレンズの直径の１．２倍以上であってもよい。上述のように、光学要素フィルタをカメラへ貼付ける際のカメラに対する向き、位置の少なくとも一方を変化させることができるようにするには、特にはカメラに対する位置を変化させられるようにするには、効果フィルタの接着剤が塗布されていない部分の直径がカメラのレンズよりも大きくされている必要がある。本体部が円形であり、且つ本体部の中心を含む前記接着剤が塗布されていない部分の直径が、その光学要素フィルタが貼付けられることが予定されたカメラのレンズの直径の１．２倍以上であれば、効果フィルタがカメラで撮像される画像に与える前記何らかの効果を十分に変化させられる程度に、光学要素フィルタのカメラへの貼付け位置を変化させられるようになる。また、本体部の中心を含む前記接着剤が塗布されていない前記部分の直径が、その光学要素フィルタが貼付けられることが予定されたカメラのレンズの直径の２．０倍以上であれば、効果フィルタのすべての部分を、カメラのレンズの前に位置させることができるようになるから、より様々な効果をカメラで撮像される画像に与えられるようになる。
本体部が略円形である場合、光学要素フィルタは、その外周の一部から延びている摘み部を備えていてもよい。このような効果フィルタにおける貼付け手段が上述した如き接着剤である場合、その接着剤は、前記本体部の一方の面の外周に沿うようにして、前記効果フィルタの前記一方の面に塗布されていればよい。この場合、摘み部の一方側の面には接着剤は塗布されない。このような摘み部は、形状的な、また、接着剤が塗布されておらずカメラに貼付かないという理由により、摘み易いものとなるため、カメラに貼付けた光学要素フィルタをカメラから剥がし易くするに好適である。本体部と前記摘み部は一体的に形成されていてもよい。
効果フィルタが摘み部を備える場合、その摘み部は、所定のキャラクタを模したものとなっていてもよい。カメラで撮られる画像に効果を与えることでカメラ使用者の遊び心を刺激できるのみならず、光学要素フィルタそれ自体がカメラ使用者の遊び心を刺激できるものとなる。
【００１４】
以上で説明した貼付け手段を接着剤とする本発明に係る光学要素フィルタを用いて、以下のような光学要素フィルタセットを構成することもできる。
本発明に係る光学要素フィルタセットは、台紙と、光学要素フィルタとを備えており、前記台紙に、前記光学要素フィルタに含まれる前記効果フィルタのうち前記接着剤が塗布された面が着脱自在に貼り付けられてなる。このような光学要素フィルタセットであれば、光学要素フィルタを使用するときは台紙から剥がし、使用しないときには台紙に再度貼り付けることが可能となるから、繰り返し使用できるものとなっている場合における光学要素フィルタの取扱い性が良くなる。
本発明に係る光学要素フィルタセットは、また、複数の光学要素フィルタを持つものであってもよい。この場合、前記台紙に、複数の前記光学要素フィルタにそれぞれ含まれる前記効果フィルタのうち前記接着剤が塗布された面が着脱自在に貼り付けられる。このようにすれば、複数の光学要素フィルタを一枚の台紙の管理によって管理できるようになるため、繰り返し使用できるものとなっている場合における複数の光学要素フィルタの取扱い性が良くなる。この場合における複数の光学要素フィルタにそれぞれ含まれる複数の効果フィルタのうちの少なくとも一つは、他の効果フィルタとは異なる効果をカメラで撮像される画像に与えるものとされていてもよい。このようにされていれば、一枚の台紙の管理により管理できる光学要素フィルタによって、カメラで撮像される画像に、複数種類の効果を与えられるようになる。したがって、カメラ使用者の遊び心を刺激するに好ましい。なお、複数の効果フィルタのうちの少なくとも一つが、他の効果フィルタとは異なる効果をカメラで撮像される画像に与えるものとされる場合の例としては、効果フィルタのすべてが、カメラで撮像される画像に別々の効果を与えるようになっている場合を挙げることができる。
【００１５】
【発明の実施の形態】
以下、図面に基づいて、本発明による光学要素フィルタセットの好ましい一実施形態につき説明を行う。
【００１６】
図２以下に示すようなこの実施形態による光学要素フィルタセット１００は、図１に示した如きカメラ付き携帯電話Ｋで撮像を行う際に用いられる。
このカメラ付き携帯電話Ｋは、この実施形態では、インテリジェンスなものとされており、マイクロフォンとスピーカとそれらを制御する回路によって実現されるごく一般的な電話機能に加えて、電子メールを送受信するためのメール機能を少なくとも備えている。これら機能を実現するため、このカメラ付き携帯電話Ｋは、アンテナ及びディスプレイを備え、ＣＰＵ、ＲＯＭ、ＲＡＭ、インタフェイスなどを内蔵しているが、これらはこの種のカメラ付き携帯電話Ｋに限らず、携帯電話に一般的なものなので、その説明を省略する。
カメラ付き携帯電話Ｋは、テンキーや方向キーを含む多数の入力キーＫ１を備えている。これら入力キーＫ１は、電話機能を使用する場合、及びメール機能を使用する場合に用いられるが、後述するカメラＣを用いた撮像が行われる場合にも使用される。
カメラ付き携帯電話Ｋは、また、カメラＣを備えている。カメラＣは、カメラ付き携帯電話Ｋの背面側に設けられている。カメラＣは、レンズＣ１と、レンズＣ１の背後に位置するようにして筐体内に設けられた図示せぬ撮像素子を備えている。レンズＣ１は、カメラ付き携帯電話Ｋから露出している。この例では、レンズＣ１は、カメラ付き携帯電話Ｋの正面中央から露出している。撮像素子は、レンズＣ１を介して撮像対象物から導かれた像光による撮像を行うものであり、この実施形態では、ＣＣＤにより構成されている。レンズＣ１は、複数のレンズの組合せにより構成されていても構わないが、この実施形態では、一のレンズにより構成されている。このカメラ付き携帯電話ＫのカメラＣの撮像素子で撮像される画像は、カメラ付き携帯電話Ｋ単独で撮像が行われる場合には、縮小的画像となるようにされている。レンズＣ１及び撮像素子は、縮小的画像の撮像が可能なように構成されている。なお、ここでいう縮小的画像とは、撮像素子よりも大きなものを縮小して撮像素子へと写りこませるものをいう。
カメラＣには、また、照明Ｃ２が含まれている。照明Ｃ２は、撮像対象物に対して照明光を照射するものであり、この実施形態では、ＬＥＤによって構成されている。照明Ｃ２は、カメラ付き携帯電話Ｋから露出している。照明Ｃ２は、静止画撮像用の瞬間的な点灯と、動画撮像用の連続的な点灯とを、選択的に行えるようになっている。照明Ｃ２の点灯の制御は、カメラＣでの撮像に際して自動的に行われるようになっている。
上述のごときカメラ付き携帯電話Ｋとしては、例えばジェイフォン株式会社により製造、販売されている携帯電話であるＪ−フォン（商標）を用いることができる。
【００１７】
この実施形態における光学要素フィルタセット１００は、台紙１１０と、複数の光学要素フィルタ１２０とを含んで構成されている。もっとも、光学要素フィルタ１２０は一枚だけの場合もある。また、台紙１１０がない場合もある。
【００１８】
台紙１１０は、光学要素フィルタ１２０を使用しないときに、光学要素フィルタ１２０を貼付けておくものである。光学要素フィルタ１２０は、カメラ付き携帯電話Ｋ使用者がカメラＣでの撮像に光学要素フィルタ１２０を使用する場合には、台紙１１０から剥がされることになる。
この実施形態における台紙１１０は、必ずしもそのようになっている必要はないが、後述する接着剤の剥離を容易にするような剥離剤でコーティングされた紙によって構成されている。
【００１９】
複数の光学要素フィルタ１２０はどれも、効果フィルタ１２１の裏側に接着剤を塗布してなる。図２、図３に示した効果フィルタ１２１のうち、網掛けがなされている部分の一方の面（台紙１１０と当接している面）に、接着剤が塗布されている。
この実施形態におけるすべての光学要素フィルタ１２０は、全体として、一枚のシート状に構成されている。この実施形態における効果フィルタ１２１は膜状乃至薄板状であり、また、必ずしもそうである必要はないが、一枚物とされている。
【００２０】
この実施形態における効果フィルタ１２１は、円形の本体部１２１Ａと、本体部１２１Ａの外周の一部から延びている摘み部１２１Ｂとを備えて構成されている。この実施形態における効果フィルタ１２１は、カメラＣのレンズＣ１を覆うことのできる大きさ、形状とされている。より詳細には、この実施形態における効果フィルタ１２１の本体部１２１Ａは、カメラＣのレンズＣ１を覆うことのできる大きさ、形状とされている。
接着剤は、本体部１２１Ａの外周に沿うようなドーナツ形状になるように、効果フィルタ１２１の一方の面に塗布されている。本体部１２１Ａのうち、ドーナツ形状に塗布された接着剤の内側の部分（接着剤の塗布されていない本体部１２１Ａと同心の円形の部分）の大きさ、形状は、カメラＣのレンズＣ１（円形である。）を覆うことのできる大きさ、形状となっている。より詳細には、本体部１２１Ａのうち接着剤の塗布されていない円形の部分の大きさは、その直径が、この光学要素フィルタ１２０が貼付けられることの予定されたカメラ付き携帯電話ＫのカメラＣのレンズＣ１の直径の１．２倍以上（具体的には１．５倍）とされている。もっとも、これに代えて、光学要素フィルタ１２０の本体部１２１Ａのうち接着剤の塗布されていない円形の部分の大きさを、その直径が、この光学要素フィルタ１２０が貼付けられることの予定されたカメラ付き携帯電話ＫのカメラＣのレンズＣ１の直径の２．０倍以上（例えば、２．５倍）とすることも可能である。本体部１２１Ａの直径は、光学要素フィルタ１２０が取付けられるカメラ付き携帯電話Ｋが備えるカメラＣのレンズＣ１の直径に応じて決定されるものである。カメラＣのレンズＣ１の直径が一般的に５ｍｍ〜７ｍｍであることを考慮すれば、本体部１２１Ａの直径は、レンズＣ１の直径の１．２倍以上とすべきであれば６ｍｍ〜８．４ｍｍ以上、レンズＣ１の直径の２倍以上とすべきであれば１０ｍｍ〜１４ｍｍ以上としておけばよい。
【００２１】
いずれの光学要素フィルタ１２０に含まれる効果フィルタ１２１も、カメラＣで撮像される画像に何らかの効果を与えるものとされている。この実施形態では、それぞれの効果フィルタ１２１が、互いに異なる効果を、カメラＣで撮像される画像に与えるようにされている。この効果はどのようなものでも構わない。この実施形態の図２に示される４つの光学要素フィルタ１２０にそれぞれ含まれる効果フィルタ１２１は、写り込んだ光源から虹色の線分が放出された状態の画像を撮像させる回折格子、撮像した画像にセピア色の色味を加えるセピア色フィルタ、撮像した画像から乱反射光を取り除く偏光フィルタ、撮像した画像を拡大したものとするフレネルレンズとなっている。もちろん、これらとは別のものを効果フィルタ１２１として用いてもよい。例えば、効果フィルタ１２１を、撮像した画像に赤色、又は青色の色味を加える赤色フィルタ、又は青色フィルタとすることができる。
【００２２】
効果フィルタ１２１は、全体に一様なものとなっていても構わないが、この実施形態における効果フィルタ１２１は、それが偏光フィルタである場合と、フレネルレンズである場合を除いて、光学要素フィルタ１２０をカメラＣに貼付けて撮像を行った場合に撮像された画像に与える効果が、その部分によって異なるものとなっている。
より詳細には、その中心ほど画像に与えられる効果が小さく、中心から離れるにつれてその効果が大きくなるようになっている。この実施形態では、中心では、撮像された画像に与える効果がなくなる（光学的に透明となる）ようにされている。その例を、図３（Ａ）に示す。図３（Ａ）に示した効果フィルタ１２１には網掛けがなされているが、網掛けの濃さにより、カメラＣで撮像された画像に光学要素フィルタ１２０が与える効果の大きさを示している。つまり、網掛けの濃い部位ほど、カメラＣで撮像された画像に光学要素フィルタ１２０が与える効果が大きいのである。なお、光学要素フィルタ１２０をカメラＣに貼付けて撮像を行った場合に撮像された画像に与えられる効果を、効果フィルタ１２１の部分によって異なるものとする場合の他の例を図３（Ｂ）に示す。この例では、効果フィルタ１２１がカメラＣで撮像された画像に与える効果は効果フィルタ１２１の全体で基本的に一様であるが、本体部１２１Ａの中心部付近の白く表示された楕円形の部分では、効果フィルタ１２１がカメラＣで撮像された画像に何らの効果をも与えないようにされている。
なお、この実施形態の摘み部１２１Ｂは、手での摘み易さや、製造の容易さを考慮した、比較的単純で遊びのない形状になっているが、図４に示した如き所定のキャラクタを模した形状としても構わない。なお、図４で示した光学要素フィルタ１２０におけるキャラクタを模した部分は、キャラクタを模した形状とされ所定の印刷のされた部材を、図２で示した光学要素フィルタ１２０における摘み部１２１Ｂ、ないしこの摘み部１２１Ｂのような部分に貼り付けることによっても構成できる。この場合には効果フィルタ１２１が一枚ものにはならない。
【００２３】
セピア色フィルタ、赤色フィルタ、青色フィルタなどの撮像された画像に色味を与える効果のある効果フィルタ１２１は、図５で示したようなものとすることができる。
図５は、効果フィルタ１２１の拡大図である。図５で示したように、効果フィルタ１２１は、透明であり、その表面（少なくとも一方の表面）に、カメラで撮像される画像に何らかの効果を与えるスポット１２３が多数設けられている。セピア色フィルタであればスポット１２３はセピア色、赤色フィルタであればスポット１２３は赤色、青色フィルタであればスポット１２３は青色とされている。
このスポット１２３は、光透過性のあるインクによる印刷を行うことによって作られたものである。この実施形態におけるスポット１２３は、すべて円形であるが、その形状はこれには限られない。また、インクは光透過性のないものであってもよい。
また、撮像された画像に色味を与える効果のある効果フィルタ１２１は、図３（Ａ）、（Ｂ）で示したように、その場所によってカメラＣで撮像された画像に与える効果が異なるものとされている。これは、カメラＣで撮像された画像に与える効果が大きいところほどスポット１２３の大きさを大きくするか、スポット１２３の単位面積あたり密度を増すことで達成されている。
つまり、図５（Ａ）が、カメラＣで撮像された画像に与える効果が中程度の部分を示す図だとすると、カメラＣで撮像された画像に与える効果がそれよりも大きい部分では、図５（Ｂ）に示したようにスポット１２３の大きさを大きくするか、図５（Ｃ）のように、スポット１２３の単位面積あたり密度を増すこととしている。また、カメラＣで撮像された画像に与える効果が、図５（Ａ）で示したスポット１２３がある部分よりも小さい部分では、図５（Ｄ）に示したようにスポット１２３の大きさを小さくするか、図５（Ｅ）のようにスポット１２３の単位面積あたりの密度を小さくしている。
なお、図５（Ｂ）に示したように、スポット１２３は、その一部が他のスポット１２３と重なっていても構わない。
【００２４】
接着剤は、カメラＣのレンズＣ１の周囲に、光学要素フィルタ１２０を着脱自在に貼付けられるようなものとされている。この実施形態における接着剤は、２０回程度の光学要素フィルタ１２０の貼付けが可能となるようなものとされている。
【００２５】
この実施形態における光学要素フィルタセット１００の使用方法について説明する。
光学要素フィルタセット１００を使用するには、まず、光学要素フィルタ１２０のうち所望のものを台紙１１０から剥がす。摘み部１２１Ｂを摘めば、使用者は、この作業を簡単に行える。
次いで、それを、カメラ付き携帯電話ＫのカメラＣに貼付ける。より詳細には、カメラＣのレンズＣ１の周囲に効果フィルタ１２１の接着剤が塗布された部分が当接し、且つレンズＣ１の正面に効果フィルタ１２１の接着剤が塗布された部分の内側の部分（接着剤が塗布されていない部分）が位置するようにして、カメラＣに光学要素フィルタ１２０を貼り付ける。
この状態で撮像を行えば、カメラＣで撮像される像光は、効果フィルタ１２１を透過したものとなるので、効果フィルタ１２１により何らかの効果の与えられた画像をカメラＣで撮像できることになる。
接着剤が塗布されていない部分はレンズＣ１よりも大きいので、使用者は、カメラＣのレンズＣ１の周囲に効果フィルタ１２１の接着剤が塗布された部分が当接し、且つレンズＣ１の正面に効果フィルタ１２１の接着剤が塗布された部分の内側の部分（接着剤が塗布されていない部分）が位置する状態を保ちながら、カメラＣに対する相対位置、相対角度を異ならせた状態で、光学要素フィルタ１２０をカメラＣに貼付けることができる。使用者は、光学要素フィルタ１２０をずらすことにより、自分の好みの効果を与えた画像をカメラＣで撮像することができるようになる。
不必要になったら、使用者は、光学要素フィルタ１２０をカメラＣから剥がし、再度使用するのであれば、それを台紙１１０に貼り付ける。
【００２６】
【発明の効果】
以上の説明から明らかなように、本発明の光学要素フィルタによれば、カメラに対して容易に取付けることができ、且つカメラで撮像される画像に何らかの効果を与えられることになる。
【図面の簡単な説明】
【図１】本発明の一実施形態による光学要素フィルタセットと組み合わせて使用されるカメラ付き携帯電話の一例を示す正面図。
【図２】本発明の一実施形態による光学要素フィルタセットを示す正面図。
【図３】図２で示した光学要素フィルタセットに含まれる光学要素フィルタが有する効果フィルタの特性を概念的に示す正面図。
【図４】図２で示した光学要素フィルタセットに含まれる光学要素フィルタの変形例を示す正面図。
【図５】図２で示した光学要素フィルタセットに含まれる光学要素フィルタが有する効果フィルタの拡大図。
【符号の説明】
Ｋ  カメラ付き携帯電話
Ｃ  カメラ
Ｃ１  レンズ
１００  光学要素フィルタセット
１１０  台紙
１２０  光学要素フィルタ
１２１  効果フィルタ
１２１Ａ  本体部
１２１Ｂ  摘み部
【図１】
2005010315.tif 000003
【図２】
2005010315.tif 000004
【図３】
2005010315.tif 000005
【図４】
2005010315.tif 000006
【図５】
2005010315.tif 000007